(57)【要約】  本発明の一局面は、半透膜層と、中空糸状の多孔質な支持層とを備え、前記半透膜層は、多官能アミン化合物と多官能酸ハライド化合物とからなる架橋ポリアミド重合体を含み、前記支持層は、前記支持層の気孔が、内表面及び外表面の一方から他方に向かって漸次的に大きくなる傾斜構造を有し、分画粒子径が０．００１〜０．３μｍであり、前記内表面及び前記外表面のうち、少なくとも前記気孔が小さい緻密面に、架橋された親水性樹脂が含まれており、前記支持層の前記緻密面に、前記半透膜層が接触している複合中空糸膜である。
2019131304.tif 000002
【特許請求の範囲】
【請求項１】
半透膜層と、中空糸状の多孔質な支持層とを備え、
前記半透膜層は、多官能アミン化合物と多官能酸ハライド化合物とからなる架橋ポリアミド重合体を含み、
前記支持層は、
前記支持層の気孔が、内表面及び外表面の一方から他方に向かって漸次的に大きくなる傾斜構造を有し、
分画粒子径が０．００１〜０．３μｍであり、
前記内表面及び前記外表面のうち、少なくとも前記気孔が小さい緻密面に、架橋された親水性樹脂が含まれており、
前記支持層の前記緻密面に、前記半透膜層が接触している複合中空糸膜。
【請求項２】
前記緻密面に対する水の接触角が、９０°以下である請求項１に記載の複合中空糸膜。
【請求項３】
前記支持層は、耐圧強度が０．３ＭＰａ以上５ＭＰａ未満である請求項１又は請求項２に記載の複合中空糸膜。
【請求項４】
前記親水性樹脂は、ポリビニルアルコール及びポリビニルピロリドンの少なくとも一方である請求項１〜３のいずれか１項に記載の複合中空糸膜。
【請求項５】
前記支持層は、ポリフッ化ビニリデン及びポリサルホンの少なくとも一方を含む請求項１〜４のいずれか１項に記載の複合中空糸膜。
【請求項６】
前記支持層は、ポリフッ化ビニリデンを含む請求項５に記載の複合中空糸膜。
【請求項７】
前記支持層は、全体が親水化されている請求項１〜６のいずれか１項に記載の複合中空糸膜。
【請求項８】
正浸透法に用いられる正浸透膜である請求項１〜７のいずれか１項に記載の複合中空糸膜。
【請求項９】
請求項１〜８のいずれか１項に記載の複合中空糸膜の製造方法であって、
前記支持層の前記緻密面側に、前記多官能アミン化合物の水溶液を接触させること、
前記多官能アミン化合物の水溶液を接触させた前記支持層の前記緻密面側に、前記多官能酸ハライド化合物の有機溶媒溶液をさらに接触させること、及び、
前記多官能アミン化合物の水溶液及び前記多官能酸ハライド化合物の有機溶媒溶液を接触させた前記支持層を乾燥させることを含む複合中空糸膜の製造方法。
【発明の詳細な説明】
【技術分野】
【０００１】
本発明は、複合中空糸膜、及び複合中空糸膜の製造方法に関する。
【背景技術】
【０００２】
半透膜を用いる膜分離技術が、省エネルギ、省資源、及び環境保全等の観点から、注目を集めている。この半透膜を用いる膜分離技術には、例えば、ナノフィルトレーション（Ｎａｎｏ  Ｆｉｌｔｒａｔｉｏｎ：ＮＦ）膜、逆浸透（Ｒｅｖｅｒｓ  Ｏｓｍｏｓｉｓ：ＲＯ）膜、及び正浸透（Ｆｏｒｗａｒｄ  Ｏｓｍｏｓｉｓ：ＦＯ）膜等の、半透膜の機能を有する半透膜層を備える膜が用いられる。このような半透膜を用いる膜分離技術に用いられる膜としては、半透膜層だけではなく、半透膜層を支持する支持層も備えられる複合膜等が挙げられる。【０００３】
このような複合膜としては、例えば、特許文献１及び特許文献２に記載の膜等が挙げられる。【０００４】
特許文献１には、多官能アミンの水溶液と多官能酸ハライドの有機溶媒溶液とを多孔性支持膜上で接触させ、所定の脂肪族カルボン酸エステルの存在下での界面重縮合によって得られた架橋ポリアミドを含む分離機能層を備える複合半透膜が記載されている。特許文献１によれば、より低い操作圧力で運転が可能な透水性の高い複合半透膜が得られる旨が開示されている。【０００５】
また、特許文献２には、正浸透膜であって、親水性多孔質支持層と、第１のポリアミドバリア層とを含み、前記支持層及び前記バリア層が、薄膜複合膜に組み込まれており、かつ前記薄膜複合膜内で互いに隣接配置されている正浸透膜が記載されている。特許文献２によれば、正浸透及び浸透圧発電の性能を向上させることができる旨が開示されている。
【先行技術文献】
【特許文献】
【０００６】
【特許文献１】特開２０００−１５０６７号公報
【特許文献２】特表２０１３−５４５５９３号公報
【発明の概要】
【０００７】
本発明は、半透膜層による分離を好適に行うことができ、さらに、耐久性に優れた複合中空糸膜、及び前記複合中空糸膜の製造方法を提供することを目的とする。
【０００８】
本発明の一局面は、半透膜層と、中空糸状の多孔質な支持層とを備え、前記半透膜層は、多官能アミン化合物と多官能酸ハライド化合物とからなる架橋ポリアミド重合体を含み、前記支持層は、前記支持層の気孔が、内表面及び外表面の一方から他方に向かって漸次的に大きくなる傾斜構造を有し、分画粒子径が０．００１〜０．３μｍであり、前記内表面及び前記外表面のうち、少なくとも前記気孔が小さい緻密面に、架橋された親水性樹脂が含まれており、前記支持層の前記緻密面に、前記半透膜層が接触している複合中空糸膜である。
【０００９】
上記並びにその他の本発明の目的、特徴及び利点は、以下の詳細な記載から明らかになるだろう。
【図面の簡単な説明】
【００１０】
【図１】図１は、本発明の一実施形態に係る複合中空糸膜を示す部分斜視図である。
【図２】図２は、図１に示す複合中空糸膜の層構造の一例を示す概略図である。
【図３】図３は、図１に示す複合中空糸膜の層構造の他の一例を示す概略図である。
【図４】図４は、実施例１に係る複合中空糸膜に備えられる支持層の断面の走査型電子顕微鏡写真である。
【図５】図５は、実施例１に係る複合中空糸膜に備えられる支持層の外表面の走査型電子顕微鏡写真を示す図である。
【図６】図６は、実施例１に係る複合中空糸膜に備えられる支持層の内表面の走査型電子顕微鏡写真を示す図である。
【図７】図７は、実施例１に係る複合中空糸膜の外表面の走査型電子顕微鏡写真を示す図である。
【発明を実施するための形態】
【００１１】
半透膜層と支持層とを備える複合膜を用いた分離技術は、溶質を透過させるより、水等の溶媒を透過させやすい半透膜層を用いて分離する。すなわち、半透膜層と支持層とを備える複合膜を分離技術に用いた際、その分離に寄与するのは、主に半透膜層である。このため、前記支持層は、前記半透膜層を支持して、複合膜の強度や耐久性等を高めることだけではなく、前記半透膜層による分離を阻害しないことも求められることに本発明者等は着目した。
【００１２】
このような複合膜を、例えば、ＦＯ法に用いた場合、すなわち、ＦＯ膜として用いた場合で説明する。
【００１３】
ＦＯ法は、溶質濃度の異なる２つの溶液を、半透膜を介して接触させることにより、溶質濃度差から生じる浸透圧差を駆動力として、溶質濃度の低い希薄溶液から、溶質濃度の高い濃厚溶液へと水を透過させることによって、分離を行う方法である。本発明者等の検討によれば、この半透膜として、半透膜層と支持層とを備える複合膜を用いた場合、駆動力としての浸透圧差は、複合膜を挟んで存在する溶液の溶質濃度差から生じる浸透圧差ではなく、半透膜層を挟んで存在する溶液の溶質濃度差から生じる浸透圧差であると推察した。このことから、支持層内における溶液の流動性が低い等の理由から、支持層内に存在する溶液で、溶質濃度の偏り、すなわち、内部濃度分極が発生すると、駆動力としての浸透圧差が低くなることが考えられる。このように内部濃度分極が発生すると、駆動力としての浸透圧差が低くなることが考えられるので、複合膜の支持層には、支持層内の溶液の流動性を高め、内部濃度分極が発生しにくいことが求められることに本発明者等は着目した。そして、このような支持層を備える複合膜は、支持層によって強度や耐久性等を高めるだけではなく、半透膜層による分離を好適に行うことができ、例えば、脱塩性能を充分に発揮することも求められることに本発明者等は着目した。
【００１４】
以上のことから、半透膜層と支持層とを備える複合膜には、支持層によって、前記半透膜層による分離を阻害されることを抑制して、半透膜層による分離を好適に行うことができることが求められることに本発明者等は着目した。さらに、支持層による、複合膜の耐久性等を高め、好適な分離を長期間にわかって維持できることも求められることに本発明者等は着目した。
【００１５】
また、半透膜層と支持層とを備える複合膜としては、特許文献１に記載されているような、平膜の支持層を備えた複合膜が考えられる。本発明者等は、半透膜層による分離を好適に行うために、複合膜に備えられる支持層としては、平膜ではなく、設置面積あたりの膜面積を平膜より大きくできる中空糸状の膜を用いることに着目した。また、特許文献２には、支持膜の面に、界面重合により、ポリアミドバリア層を形成した中空ファイバー膜が記載されている。
【００１６】
しかしながら、本発明者等の検討によれば、支持層として、中空糸状の膜を単に用いただけでは、支持層上に、半透膜層が好適に形成されず、半透膜層による分離を好適に行うことができる複合中空糸膜が得られない場合があった。また、半透膜層と支持層との界面で剥離が発生する等、耐久性が充分に高い複合中空糸膜が得られない場合もあった。
【００１７】
本発明者等は、種々検討した結果、以下の本発明により、半透膜層による分離を好適に行うことができ、さらに、耐久性に優れた複合中空糸膜、及び前記複合中空糸膜の製造方法を提供するといった上記目的は達成されることを見出した。
【００１８】
以下、本発明に係る実施形態について説明するが、本発明は、これらに限定されるものではない。
【００１９】
［複合中空糸膜］
本発明の実施形態に係る複合中空糸膜１１は、図１に示すように、中空糸状の膜である。また、前記複合中空糸膜１１は、図２及び図３に示すように、中空糸状の多孔質な支持層１２と、半透膜層１３とを備える。なお、図１は、本発明の実施形態に係る複合中空糸膜１１を示す部分斜視図である。また、図２及び図３は、図１に示す係る複合中空糸膜１１の一部Ａを拡大して、複合中空糸膜１１の層構造を示す。なお、図２及び図３は、層の位置関係を表すものであって、層の厚みの関係を特に表してはいない概略図である。
【００２０】
前記半透膜層１３は、多官能アミン化合物と多官能酸ハライド化合物とからなる架橋ポリアミド重合体、すなわち、多官能アミン化合物と多官能酸ハライド化合物とを重合させてなる架橋ポリアミドを含む。
【００２１】
また、前記支持層１２は、前記支持層１２の気孔が、内表面及び外表面の一方から他方に向かって漸次的に大きくなる傾斜構造を有する。この傾斜構造としては、内表面から外表面に向かって漸次的に大きくなる傾斜構造であってもよいし、外表面から内表面に向かって漸次的に大きくなる傾斜構造であってもよい。前記支持層１２の気孔が、内表面及び外表面の一方から他方に向かって漸次的に大きくなる傾斜構造とは、内表面及び外表面の一方面に存在する気孔が、他方の面に存在する気孔より小さく、前記支持層１２の内部の気孔は、前記一方面に存在する気孔と同等以上であって、前記他方の面に存在する気孔と同等以下である構造である。
【００２２】
前記複合中空糸膜１１において、前記半透膜層１３が、前記支持層１２の気孔が小さい側の表面である緻密面１４に接触して設けられている。すなわち、前記半透膜層１３は、前記支持層１２の緻密面１４に接触していればよく、外表面が緻密面１４である場合には、図２に示すように、前記半透膜層１３は、前記支持層１２の外表面上に設けられる。また、内表面が緻密面１４である場合には、図３に示すように、前記半透膜層１３は、前記支持層１２の内表面上に設けられる。
【００２３】
（支持層）
前記支持層１２は、上述したように、中空糸状であって、多孔質である。そして、前記支持層１２は、前記支持層１２の気孔が、内表面及び外表面の一方から他方に向かって漸次的に大きくなる傾斜構造を有する。
【００２４】
また、前記支持層１２は、その分画粒子径が、０．００１〜０．３μｍであり、０．００１〜０．２μｍであることが好ましく、０．００１〜０．１μｍであることがより好ましい。すなわち、前記緻密面に存在する気孔は、前記支持層の分画粒子径が上記範囲内になる気孔であることが好ましい。前記分画粒子径が大きすぎると、前記緻密面に存在する気孔が大きく、前記緻密面上に前記半透膜層を好適に形成できない傾向がある。すなわち、前記緻密面全体を、前記半透膜層で覆うことができず、半透膜層による分離を好適に行うことができない傾向がある。前記複合中空糸膜を、例えば、正浸透（ＦＯ）膜として用いると、充分な脱塩性能を得られにくい傾向がある。一方で、前記分画粒子径が小さすぎると、半透膜層による分離を好適に行うことができ、例えば、脱塩性能を充分に発揮できるものの、透過流束が低下する傾向がある。よって、前記分画粒子径が上記範囲内であると、半透膜層による分離と透過性とを両立できる。なお、分画粒子径は、支持層の通過を阻止できる最小粒子の粒子径のことをいい、具体的には、例えば、支持層によって透過を阻止する割合（支持層による阻止率）が９０％となるときの粒子の径等が挙げられる。
【００２５】
前記支持層１２は、耐圧強度が０．３ＭＰａ以上５ＭＰａ未満であることが好ましく、０．３ＭＰａ以上４ＭＰａ未満であることがより好ましく、０．３ＭＰａ以上３ＭＰａ未満であることがさらに好ましい。この耐圧強度は、支持層の外側から圧力をかけたときに支持層の形状を維持できる最大圧力及び支持層の内側から圧力をかけたときに支持層の形状を維持できる最大圧力のうちの、低い方の圧力である。なお、支持層の外側から圧力をかけたときに支持層の形状を維持できる最大圧力とは、例えば、支持層の外側から圧力をかけていき、支持層が潰れたときの圧力である。また、支持層の内側から圧力をかけたときに支持層の形状を維持できる最大圧力とは、例えば、支持層の内側から圧力をかけていき、支持層が破裂したときの圧力である。前記耐圧強度が低すぎると、複合中空糸膜を用いた実用運転において、複合中空糸膜の耐久性が不充分になる傾向がある。前記耐圧強度は、高いほど好ましいが、高すぎる耐圧強度は、実用上、不要である場合がある。
【００２６】
前記支持層１２は、親水性樹脂を含むことによって、親水化されている。また、前記支持層１２に含まれる親水性樹脂は、架橋されている。よって、前記支持層１２は、中空糸状の多孔質な基材に、架橋された親水性樹脂を含む。前記緻密面１４に、架橋された親水性樹脂が少なくとも含まれていればよく、前記支持層１２の、前記緻密面１４以外の部分にも、架橋された親水性樹脂が含まれていてもよい。
【００２７】
前記中空糸状の多孔質な基材は、中空糸膜を構成することができる素材からなる基材であれば、特に限定されない。前記支持層１２に含まれる成分（中空糸状の多孔質な基材を構成する成分）としては、例えば、アクリル樹脂、ポリアクリロニトリル、ポリスチレン、ポリアミド、ポリアセタール、ポリカーボネート、ポリフェニレンエーテル、ポリフェニレンスルフィド、ポリエチレンテレフタレート、ポリテトラフルオロエチレン、ポリフッ化ビニリデン、ポリエーテルイミド、ポリアミドイミド、ポリクロロエチレン、ポリエチレン、ポリプロピレン、結晶性セルロース、ポリサルホン、ポリフェニルサルホン、ポリエーテルサルホン、アクリロニトリルブタジエンスチレン（ＡＢＳ）樹脂、及びアクリロニトリルスチレン（ＡＳ）樹脂等が挙げられる。この中でも、ポリフッ化ビニリデン、ポリサルホン、及びポリエーテルサルホンが好ましく、ポリフッ化ビニリデン、及びポリサルホンがより好ましい。これらの樹脂は、親水性樹脂による親水性付与がより容易であり、これらの樹脂を含む支持層は、好適な傾斜構造にすることがより容易であると考えられる。このため、これらの樹脂を含む支持層を備える複合中空糸膜は、半透膜層による分離をより好適に行うことができ、耐久性により優れた複合中空糸膜を提供することができる。また、前記持層１２に含まれる成分（中空糸状の多孔質な基材を構成する成分）としては、上記例示の樹脂を単独で用いてもよいし、２種以上を組み合わせて用いてもよい。
【００２８】
前記親水性樹脂は、前記中空糸状の多孔質な基材に含ませることによって、前記支持層１２を親水化させることができる樹脂であれば、特に限定されない。前記親水性樹脂としては、例えば、セルロース、セルロースアセテート及びセルローストリアセテート等の酢酸セルロース系ポリマー、ポリビニルアルコール及びポリエチレンビニルアルコール等のビニルアルコール系ポリマー、ポリエチレングリコール及びポリエチレンオキサイド等のポリエチレングリコール系ポリマー、ポリアクリル酸ナトリウム等のアクリル酸系ポリマー、及び、ポリビニルピロリドン等のポリビニルピロリドン系ポリマー等が挙げられる。この中でも、ビニルアルコール系ポリマーやポリビニルピロリドン系ポリマーが好ましく、ポリビニルアルコールやポリビニルピロリドンがより好ましい。ポリビニルアルコール及びポリビニルピロリドンは、より架橋させやすく、また、半透膜層との接着性をより高めることができると考えられる。すなわち、前記支持層を親水化させる際に用いる親水性樹脂として、ポリビニルアルコール及びポリビニルピロリドンの少なくとも一方を用いると、これらの樹脂は架橋させやすく、前記支持層に適切な親水性を付与しやすいと考えられる。そして、架橋された親水性樹脂が前記支持層に含まれることによって、前記架橋ポリアミド重合体を含む半透膜層との接着性を高めることができると考えられる。これらのことから、前記半透膜層を、前記支持層の緻密面上に好適に形成させることができ、形成された前記半透膜層が、前記支持層から剥離されることを充分に抑制できると考えられる。これらのことから、これらの樹脂を親水性樹脂として含む支持層を備える複合中空糸膜は、半透膜層による分離をより好適に行うことができ、耐久性により優れた複合中空糸膜を提供することができる。また、前記親水性樹脂としては、上記例示の樹脂を単独で用いてもよいし、２種以上を組み合わせて用いてもよい。また、前記親水性樹脂としては、グリセリン及びエチレングリコール等の親水性の単分子を含んでいてもよく、これらの重合体であってもよく、これらを上記樹脂との共重合成分として含むものであってもよい。
【００２９】
前記親水性樹脂の架橋は、前記親水性樹脂が架橋されて、前記親水性樹脂の水に対する溶解性が低下していればよく、例えば、水に溶解しないように不溶化させる架橋等が挙げられる。前記親水性樹脂の架橋としては、前記親水性樹脂としてポリビニルアルコールを用いた場合、例えば、ホルムアルデヒドを用いたアセタール化反応やグルタルアルデヒドを用いたアセタール化反応等が挙げられる。また、前記親水性樹脂としてポリビニルピロリドンを用いた場合、例えば、過酸化水素水との反応等が挙げられる。前記親水性樹脂の架橋は、その架橋度が高いと、複合中空糸膜を長期間にわたって使用しても、前記複合中空糸膜からの親水性樹脂の溶出を抑制できると考えられる。このため、前記半透膜層と前記支持層との剥離等を、長期間にわたって抑制できると考えられる。
【００３０】
前記支持層１２は、前記緻密面１４に対する水の接触角が、９０°以下であることが好ましく、６５°以下であることがより好ましく、１０〜６５°であることがさらに好ましい。前記接触角が大きすぎると、前記支持層の親水化が不充分であり、前記支持層上に、前記半透膜層を好適に形成できない傾向がある。これは、以下のことによると考えられる。前記半透膜層を形成する際、まず、前記支持層の前記緻密面側に、前記半透膜層を構成する架橋ポリアミド重合体の原料である多官能アミン化合物の水溶液を接触させる。このとき、前記緻密面１４に対する水の接触角が、９０°以下であれば、前記支持層の前記緻密面側に、前記多官能アミン化合物の水溶液が充分にしみ込む。この状態で、前記支持層の前記緻密面側に、前記架橋ポリアミド重合体の原料である多官能酸ハライド化合物の有機溶媒を接触させた後、乾燥させると、前記多官能アミン化合物と前記多官能酸ハライド化合物とが界面重合して、前記支持層の前記緻密面に接触するように、前記架橋ポリアミド重合体を含む半透膜層が形成される。その一方で、前記緻密面１４に対する水の接触角が大きすぎると、前記多官能アミン化合物の水溶液が、前記支持層の前記緻密面側に充分にしみ込めず、上記界面重合を好適に行うことができない傾向がある。このため、前記支持層上に、前記半透膜層を好適に形成できない傾向がある。また、このような、前記緻密面１４に対する水の接触角が大きすぎる場合、前記半透膜層が形成されても、その半透膜層は、前記支持層からの剥離が発生しやすい傾向もある。
【００３１】
前記支持層１２は、前記緻密面１４に対する水の接触角が、上述したように、９０°以下になるように親水化されていることが好ましいが、前記支持層１２は、全体が親水化されていることがより好ましい。例えば、前記複合中空糸膜をＦＯ法で用いて水処理をした場合、ＦＯ膜として用いた複合中空糸膜の半透膜層を介して、供給溶液及び駆動溶液としての２つの水溶液が効率的に接触されることが好ましい。このため、前記支持層全体が親水化されていると、水溶液である供給溶液及び駆動溶液が、前記支持層内を効率的に拡散するので、いわゆる内部濃度分極が抑制され、半透膜層による分離をより好適に行うことができる。また、前記支持層全体が親水化されているほうが、前記支持層の親水化がより好適に行われている。このため、前記支持層上に前記半透膜層がより好適に形成され、前記半透膜層と前記支持層との剥離がより抑制された耐久性の高い複合中空糸膜となる。
【００３２】
なお、前記支持層が親水化されているか否かは、支持層をＩＲ（Ｉｎｆｒａｒｅｄ  Ｓｐｅｃｔｒｏｓｃｏｐｙ）分析及びＸＰＳ（Ｘ−ｒａｙ  Ｐｈｏｔｏｅｌｅｃｔｒｏｎ  Ｓｐｅｃｔｒｏｓｃｏｐｙ）分析等をすることによって、判断することができる。例えば、前記支持層の内表面、外表面、及び前記支持層を切り出した内部の面のそれぞれに対して、上記分析を行うことによって、それぞれの位置に親水性樹脂が存在するか否かがわかる。そして、支持層の全体にわたって、親水性樹脂が存在するようであれば、支持層の全体が親水化されていることがわかる。すなわち、前記支持層の内表面、外表面、及び内部の全てに、親水性樹脂の存在が確認できれば、支持層の全体が親水化されていることがわかる。
【００３３】
また、前記支持層の全体が親水化されているか否かは、透水性からもわかる。具体的には、湿潤状態での膜間差圧９８ｋＰａ及び２５℃における純水の透過速度が、乾燥状態での膜間差圧９８ｋＰａ及び２５℃における純水の透過速度と同等程度であれば、前記支持層の全体が親水化されていることがわかる。具体的には、湿潤状態での膜間差圧９８ｋＰａ及び２５℃における純水の透過速度が、乾燥状態での膜間差圧９８ｋＰａ及び２５℃における純水の透過速度に対して、０．９〜２倍であることが好ましい。
【００３４】
乾燥状態での膜間差圧９８ｋＰａ及び２５℃における純水の透過速度としては、例えば、以下の方法により測定される透過速度等が挙げられる。まず、測定対象物である支持層（中空糸膜）を乾燥させる。この乾燥は、支持層を乾燥できれば、特に限定されないが、例えば、６０℃の送風定温乾燥器での２４時間以上の乾燥等が挙げられる。この乾燥状態の支持層の一端を封止し、有効長２０ｃｍの１本の中空糸膜モジュールを用い、原水として純水を利用し、ろ過圧力が９８ｋＰａ、温度２５℃の条件で外圧ろ過して、１分の透水量を測定する。この測定した透水量から、単位膜面積、単位時間、及び単位圧力当たりの透水量に換算して、純水の透過速度（Ｌ／ｍ２／時：ＬＭＨ）を得る。
【００３５】
また、湿潤状態での膜間差圧９８ｋＰａ及び２５℃における純水の透過速度としては、例えば、以下の方法により測定される透過速度等が挙げられる。まず、測定対象物である支持層（中空糸膜）を湿潤状態にする。本実施形態に係る支持層の場合、支持層に含まれる親水性樹脂を湿潤させる。この湿潤状態にする湿潤処理は、支持層を好適に湿潤状態にすることができれば、特に限定されない。具体的には、支持層を、エタノール５０質量％水溶液に２０分間浸漬させ、その後、２０分間純水で洗浄するといった湿潤処理を施す。この湿潤状態にした中空糸膜を、乾燥状態の中空糸膜の代わりに用いること以外、上記乾燥状態の透過速度の測定方法と同様の方法により、膜間差圧９８ｋＰａ及び２５℃における純水の透過速度（Ｌ／ｍ２／時：ＬＭＨ）を得る。
【００３６】
前記支持層１２は、前記緻密面１４とは反対側の面に形成されている気孔の平均径（反対側細孔径）が、１〜５０μｍであることが好ましく、１〜３０μｍであることがより好ましく、１〜２０μｍであることが好ましい。この平均径が小さすぎると、前記支持層の傾斜構造における、前記支持層の気孔が、内表面及び外表面の一方から他方に向かって大きくなる度合が低すぎて、透過性が不充分になる傾向がある。また、この平均径が大きすぎると、前記支持層の強度が不充分になる傾向がある。
【００３７】
なお、前記支持層１２の製造方法は、上記のような構成の中空糸膜を製造することができれば、特に限定されない。前記中空糸膜の製造方法としては、多孔性の中空糸膜を製造する方法等が挙げられる。このような多孔性の中空糸膜の製造方法としては、相分離を利用する方法が知られている。この相分離を利用する中空糸膜の製造方法としては、例えば、非溶剤誘起相分離法（Ｎｏｎｓｏｌｖｅｎｔ  Ｉｎｄｕｃｅｄ  Ｐｈａｓｅ  Ｓｅｐａｒａｔｉｏｎ：ＮＩＰＳ法）や、熱誘起相分離法（Ｔｈｅｒｍａｌｌｙ  Ｉｎｄｕｃｅｄ  Ｐｈａｓｅ  Ｓｅｐａｒａｔｉｏｎ：ＴＩＰＳ法）等が挙げられる。
【００３８】
ＮＩＰＳ法とは、ポリマーを溶剤に溶解させた均一なポリマー原液を、ポリマーを溶解させない非溶剤と接触させることで、ポリマー原液と非溶剤との濃度差を駆動力とした、ポリマー原液の溶剤と非溶剤との置換により、相分離現象を起こさせる方法である。ＮＩＰＳ法は、一般的に、溶剤交換速度によって、形成される細孔の孔径が変化する。具体的には、溶剤交換速度が遅いほど、細孔が粗大化する傾向がある。また、溶剤交換速度は、中空糸膜の製造においては、非溶剤との接触面が最も速く、膜内部に向かうにしたがって、遅くなる。このため、ＮＩＰＳ法で製造した中空糸膜は、非溶剤との接触面付近は緻密であって、膜内部に向かって、徐々に細孔を粗大化した非対称構造を有するものが得られる。
【００３９】
また、ＴＩＰＳ法とは、ポリマーを、高温下では溶解させることができるが、温度が低下すると溶解できなくなる貧溶剤に、高温下で溶解させ、その溶液を冷却することにより、相分離現象を起こさせる方法である。熱交換速度は、一般的に、ＮＩＰＳ法における溶剤交換速度より速く、速度の制御が困難であるため、ＴＩＰＳ法は、膜厚方向に対して、均一な細孔が形成されやすい。
【００４０】
また、前記中空糸膜の製造方法としては、前記中空糸膜を製造することができれば、特に限定されない。具体的には、この製造方法としては、以下のような製造方法が挙げられる。この製造方法としては、中空糸膜を構成する樹脂と溶剤とを含む製膜原液を調製する工程（調製工程）と、前記製膜原液を中空糸状に押し出す工程（押出工程）と、押し出された中空糸状の製膜原液を凝固させて、中空糸膜を形成する工程（形成工程）とを備える方法等が挙げられる。
【００４１】
（半透膜層）
前記半透膜層１３は、多官能アミン化合物と多官能酸ハライド化合物とからなる架橋ポリアミド重合体を含んで、半透膜の機能を奏する層であれば、特に限定されない。
【００４２】
前記多官能アミン化合物は、アミノ基を分子内に２つ以上有する化合物であれば、特に限定されない。前記多官能アミン化合物としては、例えば、芳香族多官能アミン化合物、脂肪族多官能アミン化合物、及び脂環族多官能アミン化合物等が挙げられる。また、前記芳香族多官能アミン化合物としては、例えば、ｍ−フェニレンジアミン、ｐ−フェニレンジアミン、及びｏ−フェニレンジアミン等のフェニレンジアミン、１，３，５−トリアミノベンゼン及び１，３，４−トリアミノベンゼン等のトリアミノベンゼン、２，４−ジアミノトルエン及び２，６−ジアミノトルエン等のジアミノトルエン、３，５−ジアミノ安息香酸、キシリレンジアミン、及び２，４−ジアミノフェノール二塩酸塩（アミドール）等が挙げられる。また、前記脂肪族多官能アミン化合物としては、例えば、エチレンジアミン、プロプレンジアミン、及びトリス（２−アミノエチル）アミン等が挙げられる。前記脂環族多官能アミン化合物としては、例えば、１，３−ジアミノシクロヘキサン、１，２−ジアミノシクロヘキサン、１，４−ジアミノシクロヘキサン、ピペラジン、２、５―ジメチルピペラジン、４−アミノメチルピペラジン等が挙げられる。この中でも、芳香族多官能アミン化合物が好ましく、フェニレンジアミンがより好ましい。また、前記多官能アミン化合物としては、上記例示の化合物を単独で用いてもよいし、２種以上を組み合わせて用いてもよい。
【００４３】
前記多官能酸ハライド化合物（多官能酸ハロゲン化物）は、カルボン酸等の酸を分子内に２つ以上有する多官能有機酸化合物に含まれる酸からヒドロキシル基を２つ以上除去し、ヒドロキシル基が除去された酸にハロゲンが結びついた化合物であれば、特に限定されない。前記多官能酸ハライド化合物は、２価以上であればよく、３価以上であることが好ましい。また、前記多官能酸ハライド化合物としては、例えば、多官能酸フッ化物、多官能酸塩化物、多官能酸臭化物、及び多官能酸ヨウ化物等が挙げられる。この中でも、多官能酸塩化物（多官能酸クロライド化合物）が、最も容易に得られ、反応性も高いので好ましく用いられるが、これに限らない。また、以下、多官能酸塩化物を例示するが、多官能酸塩化物以外の多官能酸ハロゲン化物としては、下記例示の塩化物を、他のハロゲン化物に変えたもの等が挙げられる。
【００４４】
前記多官能酸クロライド化合物としては、例えば、芳香族多官能酸クロライド化合物、脂肪族多官能酸クロライド化合物、及び脂環族多官能クロライド化合物等が挙げられる。前記芳香族多官能酸クロライド化合物としては、例えば、トリメシン酸トリクロライド、テレフタル酸ジクロライド、イソフタル酸ジクロライド、ビフェニルジカルボン酸ジクロライド、ナフタレンジカルボン酸ジクロライド、ベンゼントリスルホン酸トリクロライド、及びベンゼンジスルホン酸ジクロライド等が挙げられる。また、前記脂肪族多官能酸クロライド化合物としては、例えば、プロパンジカルボン酸ジクロライド、ブタンジカルボン酸ジクロライド、ペンタンジカルボン酸ジクロライド、プロパントリカルボン酸トリクロライド、ブタントリカルボン酸トリクロライド、ペンタントリカルボン酸トリクロライド、グルタリルクロライド、及びアジポイルクロライド等が挙げられる。また、脂環族多官能クロライド化合物としては、例えば、シクロプロパントリカルボン酸トリクロライド、シクロブタンテトラカルボン酸テトラクロライド、シクロペンタントリカルボン酸トリクロライド、シクロペンタンテトラカルボン酸テトラクロライド、シクロヘキサントリカルボン酸トリクロライド、テトラハイドロフランテトラカルボン酸テトラクロライド、シクロペンタンジカルボン酸ジクロライド、シクロブタンジカルボン酸ジクロライド、シクロヘキサンジカルボン酸ジクロライド、及びテトラハイドロフランジカルボン酸ジクロライド等が挙げられる。この中でも、芳香族多官能酸クロライド化合物が好ましく、トリメシン酸トリクロライドがより好ましい。また、前記多官能酸ハライド化合物としては、上記例示の化合物を単独で用いてもよいし、２種以上を組み合わせて用いてもよい。
【００４５】
（複合中空糸膜）
本実施形態に係る複合中空糸膜は、備えられる支持層が、前記半透膜層を支持し、さらに、この半透膜層による分離を阻害しないようにする上記支持層であれば、特に限定されない。すなわち、本実施形態に係る複合中空糸膜は、多官能アミン化合物と多官能酸ハライド化合物とからなる架橋ポリアミド重合体を含む半透膜層と支持層とを備え、前記支持層が、半透膜層の機能を好適に奏するような支持層であればよい。また、前記支持層としては、下記実施例に記載の架橋ポリアミド重合体を含む半透膜層でなくても、それぞれの半透膜層の機能を好適に奏するような支持層であればよい。
【００４６】
前記複合中空糸膜の形状は、特に限定されない。前記複合中空糸膜は、中空糸状であって、長手方向の一方側は開放し、他方側は、開放していても閉じていてもよい。前記複合中空糸膜の開放した側の形状としては、例えば、図１に示すような形状である場合等が挙げられる。
【００４７】
前記複合中空糸膜の外径Ｒ１は、０．１〜２ｍｍであることが好ましく、０．２〜１．５ｍｍであることがより好ましく、０．３〜１．５ｍｍであることがさらに好ましい。前記外径が小さすぎると、前記複合中空糸膜の内径も小さくなりすぎる場合があり、この場合、中空部分の通液抵抗が大きくなり、充分な流量を確保できなくなる傾向がある。そして、前記複合中空糸膜を正浸透膜等として用いた場合は、充分な流量で駆動溶液を流すことができなくなる傾向がある。また、前記外径が小さすぎると、外側にかかる圧力に対する耐圧強度が低下する傾向もある。さらに、前記外径が小さすぎると、前記複合中空糸膜の膜厚が薄くなりすぎる場合があり、この場合、複合中空糸膜の強度が不充分になる傾向がある。すなわち、好適な耐圧強度を実現できない傾向がある。また、前記外径が大きすぎると、複数の複合中空糸膜を筐体に収容した中空糸膜モジュールを構成した際、筐体に収容する中空糸膜の本数が少なくなるので、中空糸膜の膜面積が減少し、中空糸膜モジュールとして、実用上、充分な流量を確保することができない傾向がある。前記外径が大きすぎると、内側からかかる圧力に対する耐圧強度が低下する傾向がある。よって、前記複合中空糸膜の外径が上記範囲内であれば、複合中空糸膜が充分な強度を有しつつ、透過性に優れた、半透膜による分離を好適に行うことができる。
【００４８】
前記複合中空糸膜の内径Ｒ２は、０．０５〜１．５ｍｍであることが好ましく、０．１〜１ｍｍであることが好ましく、０．２〜１ｍｍであることがさらに好ましい。前記内径が小さすぎると、中空部分の通液抵抗が大きくなり、充分な流量を確保できなくなる傾向がある。そして、前記複合中空糸膜を正浸透膜等として用いた場合は、充分な流量で駆動溶液を流すことができなくなる傾向がある。また、前記内径が小さすぎると、前記複合中空糸膜の外径も小さくなりすぎる場合があり、この場合、外側にかかる圧力に対する耐圧強度が低下する傾向がある。また、前記内径が大きすぎると、前記複合中空糸膜の外径も大きくなりすぎる場合があり、この場合、複数の複合中空糸膜を筐体に収容した中空糸膜モジュールを構成した際、筐体に収容する中空糸膜の本数が少なくなくので、中空糸膜の膜面積が減少し、中空糸膜モジュールとして、実用上、充分な流量を確保することができない傾向がある。そして、前記内径が大きすぎと、前記複合中空糸膜の外径も大きくなりすぎる場合があり、この場合、内側からかかる圧力に対する耐圧強度が低下する傾向がある。また、前記内径が大きすぎると、前記複合中空糸膜の膜厚が薄くなりすぎる場合があり、この場合、複合中空糸膜の強度が不充分になる傾向がある。すなわち、好適な耐圧強度を実現できない傾向がある。よって、前記複合中空糸膜の内径が上記範囲内であれば、複合中空糸膜が充分な強度を有しつつ、透過性に優れた、半透膜による分離を好適に行うことができる。
【００４９】
また、前記複合中空糸膜の膜厚Ｔは、０．０２〜０．３ｍｍであることが好ましく、０．０５〜０．３ｍｍであることがより好ましく、０．０５〜０．２８ｍｍであることがさらに好ましい。前記膜厚が薄すぎると、複合中空糸膜の強度が不充分になる傾向がある。すなわち、好適な耐圧強度を実現できない傾向がある。また、前記膜厚が厚すぎると、透過性が低下する傾向がある。また、前記膜厚が厚すぎると、支持層における内部濃度分極が起こりやすくなり、半透膜による分離を阻害する傾向もある。すなわち、前記複合中空糸膜を正浸透膜等として用いた場合は、駆動溶液と供給溶液との接触抵抗が増大するため、透過性が低下する傾向がある。よって、前記複合中空糸膜の膜厚が上記範囲内であれば、複合中空糸膜が充分な強度を有しつつ、透過性に優れ、半透膜による分離も好適に行うことができる。
【００５０】
前記半透膜層１３の膜厚は、下記界面重合で形成される厚みである。具体的には、前記半透膜層の膜厚は、１〜１００００ｎｍであり、１〜５０００ｎｍであることがより好ましく、１〜３０００ｎｍであることがさらに好ましい。前記膜厚が薄すぎると、半透膜層による分離を好適に行うことができない傾向がある。前記複合中空糸膜を正浸透膜等として用いた場合は、充分な脱塩性能を発揮できず、塩逆流速度が上昇する等のように、半透膜層による分離を好適に行うことができない傾向がある。このことは、半透膜層が薄すぎて、半透膜層の機能を充分に奏することができなかったり、半透膜層が支持層上を充分に覆うことができないこと等によると考えられる。また、前記膜厚が厚すぎると、透過性が低下する傾向がある。このことは、半透膜層が厚すぎて、透水抵抗が大きくなるため、水が透過しにくくなることによると考えられる。
【００５１】
前記支持層１２の膜厚は、前記複合中空糸膜の膜厚と前記半透膜層１３の膜厚との差分であり、具体的には、０．０２〜０．３ｍｍであり、０．０５〜０．３ｍｍであることがより好ましく、０．０５〜０．２５ｍｍであることがさらに好ましい。なお、支持層の膜厚は、半透膜層が、支持層と比較して非常に薄いため、複合中空糸膜の膜厚とほぼ同じである。前記膜厚が薄すぎると、複合中空糸膜の強度が不充分になる傾向がある。すなわち、好適な耐圧強度を実現できない傾向がある。また、前記膜厚が厚すぎると、透過性が低下する傾向がある。また、前記膜厚が厚すぎると、支持層における内部濃度分極が起こりやすくなり、半透膜による分離を阻害する傾向もある。すなわち、前記複合中空糸膜を正浸透膜等として用いた場合は、駆動溶液と供給溶液との接触抵抗が増大するため、透過性が低下する傾向がある。よって、前記複合中空糸膜の膜厚が上記範囲内であれば、複合中空糸膜が充分な強度を有しつつ、透過性に優れ、半透膜による分離も好適に行うことができる。
【００５２】
前記複合中空糸膜は、半透膜を用いる膜分離技術に適用可能である。すなわち、前記複合中空糸膜は、例えば、ＮＦ膜、ＲＯ膜、及びＦＯ膜等として用いることができる。この中でも、前記複合中空糸膜は、ＦＯ法に用いられるＦＯ膜であることが好ましい。
【００５３】
一般的に、ＲＯ膜であれば、半透膜の機能を奏するので、ＦＯ膜としても利用できる。しかしながら、従来のＲＯ膜をそのままＦＯ膜として用いると、内部濃度分極の影響を受け、半透膜による分離を好適に行うことができない場合があった。すなわち、ＦＯ法は、ＦＯ膜による分離が内部濃度分極の影響を受けやすいことが知られている。本実施形態に係る複合中空糸膜であれば、上述したように、内部濃度分極の発生を充分に抑制できるので、ＦＯ法に用いられるＦＯ膜としても好適に用いることができる。
【００５４】
［複合中空糸膜の製造方法］
本実施形態に係る複合中空糸膜の製造方法は、上述の複合中空糸膜を製造することができれば、特に限定されない。前記製造方法としては、例えば、以下のような製造方法が挙げられる。前記製造方法としては、前記支持層の前記緻密面側に、前記多官能アミン化合物の水溶液を接触させる工程（第１接触工程）と、前記多官能アミン化合物の水溶液を接触させた前記支持層の前記緻密面側に、前記多官能酸ハライド化合物の有機溶媒溶液をさらに接触させる工程（第２接触工程）と、前記多官能アミン化合物の水溶液及び前記多官能酸ハライド化合物の有機溶媒溶液を接触させた前記支持層を乾燥させる工程（乾燥工程）とを備える。
【００５５】
前記第１接触工程は、前記支持層の前記緻密面側に、前記多官能アミン化合物の水溶液を接触させる。そうすることによって、前記多官能アミン化合物の水溶液が、前記支持層に前記緻密面側からしみ込む。
【００５６】
前記多官能アミン化合物の水溶液は、前記多官能アミン化合物の濃度が、０．１〜５質量％であることが好ましく、０．１〜３質量％であることがより好ましい。前記多官能アミン化合物の濃度が低すぎると、形成された半透膜層にピンホールが形成される等、好適な半透膜層が形成されない傾向がある。このため、半透膜層による分離が不充分になる傾向がある。また、前記多官能アミン化合物の濃度が高すぎると、前記半透膜層が厚くなりすぎる傾向がある。そして、前記半透膜層が厚くなりすぎると、得られた複合中空糸膜の透過性が低下する傾向がある。
【００５７】
前記多官能アミン化合物の水溶液は、前記多官能アミン化合物を水に溶解させた溶液であり、必要に応じて、塩類、界面活性剤、及びポリマー等の添加剤を加えてもよい。
【００５８】
前記第２接触工程は、前記多官能アミン化合物の水溶液を接触させた前記支持層の前記緻密面側に、前記多官能酸ハライド化合物の有機溶媒溶液をさらに接触させる。そうすることによって、前記支持層に前記緻密面側にしみ込まれた前記多官能アミン化合物の水溶液と前記多官能酸ハライド化合物の有機溶媒溶液との界面が形成される。そして、前記界面において、前記多官能アミン化合物と前記多官能酸ハライド化合物との反応が進行する。すなわち、前記多官能アミン化合物と前記多官能酸ハライド化合物との界面重合が起こる。この界面重合によって、架橋ポリアミドが形成される。
【００５９】
前記多官能酸ハライド化合物の有機溶剤溶液は、前記多官能酸ハライド化合物の濃度が、０．０１〜５質量％であることが好ましく、０．０１〜３質量％であることがより好ましい。前記多官能酸ハライド化合物の濃度が低すぎると、形成された半透膜層にピンホールが形成される等、好適な半透膜層が形成されない傾向がある。このため、半透膜層による分離、例えば、脱塩性能が不充分になる傾向がある。また、前記多官能酸ハライド化合物の濃度が高すぎると、前記半透膜層が厚くなりすぎる傾向がある。そして、前記半透膜層が厚くなりすぎると、得られた複合中空糸膜の透過性が低下する傾向がある。
【００６０】
前記多官能酸ハライド化合物の有機溶媒溶液は、前記多官能酸ハライド化合物を有機溶媒に溶解させた溶液である。前記有機溶媒としては、前記多官能酸ハライド化合物を溶解し、水に溶解しない溶媒であれば、特に限定されない。前記有機溶媒としては、例えば、シクロヘキサン、ヘプタン、オクタン、及びノナン等のアルカン系飽和炭化水素等が挙げられる。前記有機溶媒には、必要に応じて、塩類、界面活性剤、及びポリマー等の添加剤を加えてもよい。
【００６１】
前記乾燥工程は、前記多官能アミン化合物の水溶液及び前記多官能酸ハライド化合物の有機溶媒溶液を接触させた前記支持層を乾燥させる。前記第２接触工程において、前記多官能アミン化合物の水溶液と前記多官能酸ハライド化合物の有機溶媒溶液との接触による界面重合により得られた架橋ポリアミド重合体が、前記支持層の前記緻密面上を覆うように形成されている。この支持層を乾燥させることにより、形成された架橋ポリアミド重合体が乾燥され、架橋ポリアミド重合体を含む半透膜層が形成される。
【００６２】
前記乾燥は、形成された架橋ポリアミド重合体が乾燥されれば、その温度等は特に限定されない。乾燥温度としては、例えば、５０〜１５０℃であることが好ましく、８０〜１３０℃であることが好ましい。前記乾燥温度が低すぎると、乾燥が不充分になる傾向があるだけではなく、乾燥時間が長くなりすぎ、生産効率が低下する傾向がある。また、前記乾燥温度が高すぎると、形成された半透膜層が熱劣化し、半透膜による分離を好適には行いにくくなる傾向がある。例えば、脱塩性能が低下したり、透水性が低下する傾向がある。また、乾燥時間としては、例えば、１〜３０分間であることが好ましく、１〜２０分間であることがより好ましい。前記乾燥時間が短すぎると、乾燥が不充分になる傾向がある。また、前記乾燥時間が長すぎると、生産効率が低下する傾向がある。また、形成された半透膜層が熱劣化し、半透膜による分離を好適には行いにくくなる傾向もある。例えば、脱塩性能が低下したり、透水性が低下する傾向がある。
【００６３】
上記のような製造方法によれば、半透膜層による分離を好適に行うことができ、さらに、耐久性に優れた複合中空糸膜を好適に製造することができる。
【００６４】
本明細書は、上述したように、様々な態様の技術を開示しているが、そのうち主な技術を以下に纏める。
【００６５】
本発明の一局面は、半透膜層と、中空糸状の多孔質な支持層とを備え、前記半透膜層は、多官能アミン化合物と多官能酸ハライド化合物とからなる架橋ポリアミド重合体を含み、前記支持層は、前記支持層の気孔が、内表面及び外表面の一方から他方に向かって漸次的に大きくなる傾斜構造を有し、分画粒子径が０．００１〜０．３μｍであり、前記内表面及び前記外表面のうち、少なくとも前記気孔が小さい緻密面に、架橋された親水性樹脂が含まれており、前記支持層の前記緻密面に、前記半透膜層が接触している複合中空糸膜である。
【００６６】
このような構成によれば、半透膜層による分離を好適に行うことができ、さらに、耐久性に優れた複合中空糸膜を提供することができる。
【００６７】
このことは、以下のことによると考えられる。
【００６８】
支持層として、中空糸状の支持層を用いることによって、平膜にした場合より膜面積を広くすることができる。そして、支持層として、中空糸状の支持層を用いても、支持層上に、半透膜層を形成させることによって、支持層上に好適な半透膜層を備える複合中空糸膜が得られると考えられる。
【００６９】
この中空糸状の多孔質な支持層としては、一方の面を、前記支持層の分画粒子径が０．００１〜０．３μｍになるような小さな気孔が形成されている緻密面にし、その緻密面から他方の面に向かって、気孔が漸次的に大きくなる傾斜構造を有する支持層を用いる。この支持層は、少なくとも緻密面に、架橋された親水性樹脂が含まれている。このため、前記支持層は、少なくとも前記緻密面が親水化されている。そして、この親水化されている前記緻密面に、前記半透膜層が接触する。このように、親水化されている前記緻密面上に前記半透膜層が形成されるので、前記半透膜層は、前記支持層の緻密面上に好適に形成されると考えられる。また、前記支持層は、前記半透膜層が形成される前記緻密面である一方の面から、他方の面に向かって、気孔が漸次的に大きくなる傾斜構造を有する。このような傾斜構造を有するので、前記支持層は、この支持層に含まれる溶液の流動性の低下も抑制できる。すなわち、このような支持層を備える複合中空糸膜は、内部濃度分極の発生を抑制できる。よって、前記複合中空糸膜は、上述したように、前記支持層の緻密面上に前記半透膜層を好適に形成できるだけではなく、内部濃度分極の発生を抑制できるので、半透膜層による分離を好適に行うことができると考えられる。また、前記複合中空糸膜は、前記半透膜層が前記支持層の緻密面上に好適に形成されているので、曲げ等による劣化の発生を充分に抑制でき、耐久性を充分に向上させることができると考えられる。
【００７０】
以上のことから、半透膜層による分離を好適に行うことができ、さらに、耐久性に優れた複合中空糸膜が得られると考えられる。
【００７１】
また、前記複合中空糸膜は、例えば、正浸透法に用いられると、優れた脱塩性能を発揮することができる。そして、この複合中空糸膜は、例えば、屈曲させても、この半透膜層による好適な分離を維持できる。
【００７２】
また、前記複合中空糸膜において、前記緻密面に対する水の接触角が、９０°以下であることが好ましい。
【００７３】
このような構成によれば、半透膜層による分離をより好適に行うことができ、耐久性により優れた複合中空糸膜を提供することができる。このことは、前記緻密面が充分に親水化されていることによると考えられる。すなわち、前記支持層は、架橋された親水性樹脂を含むことによって、前記緻密面に対する水の接触角が９０°以下になるように親水化されていることによると考えられる。
【００７４】
また、前記複合中空糸膜において、前記支持層は、耐圧強度が０．３ＭＰａ以上５ＭＰａ未満であることが好ましい。
【００７５】
このような構成によれば、耐久性により優れた複合中空糸膜を得ることができる。
【００７６】
また、前記複合中空糸膜において、前記親水性樹脂は、ポリビニルアルコール及びポリビニルピロリドンの少なくとも一方であることが好ましい。
【００７７】
このような構成によれば、半透膜層による分離をより好適に行うことができ、耐久性により優れた複合中空糸膜を提供することができる。
【００７８】
このことは、ポリビニルアルコール及びポリビニルピロリドンが、架橋させやすく、また、半透膜層との接着性を高めることができることによると考えられる。すなわち、前記支持層を親水化させる際に用いる親水性樹脂として、ポリビニルアルコール及びポリビニルピロリドンの少なくとも一方を用いると、これらの樹脂は架橋させやすく、前記支持層に適切な親水性を付与することができると考えられる。そして、架橋された親水性樹脂が前記支持層に含まれることによって、前記架橋ポリアミド重合体を含む半透膜層との接着性を高めることができると考えられる。これらのことから、前記半透膜層を、前記支持層の緻密面上に好適に形成させることができ、形成された前記半透膜層が、前記支持層から剥離されることを充分に抑制できると考えられる。よって、この複合中空糸膜は、半透膜層による分離をより好適に行うことができ、耐久性により優れていると考えられる。
【００７９】
また、前記複合中空糸膜において、前記支持層は、ポリフッ化ビニリデン及びポリサルホンの少なくとも一方を含むことが好ましく、ポリフッ化ビニリデンを含むことがより好ましい。
【００８０】
このような構成によれば、半透膜層による分離をより好適に行うことができ、耐久性により優れた複合中空糸膜を提供することができる。
【００８１】
このことは、これらの樹脂を含む支持層は、親水性樹脂による親水性付与が容易であり、さらに、前記支持層を好適な傾斜構造にすることが容易であることによると考えられる。
【００８２】
また、前記複合中空糸膜において、前記支持層は、全体が親水化されていることが好ましい。
【００８３】
このような構成によれば、半透膜層による分離をより好適に行うことができ、耐久性により優れた複合中空糸膜を提供することができる。このことは、前記支持層上に前記半透膜層をより好適に形成させることができることによると考えられる。
【００８４】
また、前記複合中空糸膜は、正浸透法に用いられる正浸透膜であることが好ましい。
【００８５】
正浸透法は、正浸透膜による分離が内部濃度分極の影響を受けやすいことが知られている。前記複合中空糸膜であれば、内部濃度分極の発生を充分に抑制できるので、正浸透法に用いられる正浸透膜として好適に用いることができる。
【００８６】
また、本発明の他の一局面は、前記複合中空糸膜の製造方法であって、前記支持層の前記緻密面側に、前記多官能アミン化合物の水溶液を接触させること、前記多官能アミン化合物の水溶液を接触させた前記支持層の前記緻密面側に、前記多官能酸ハライド化合物の有機溶媒溶液をさらに接触させること、及び、前記多官能アミン化合物の水溶液及び前記多官能酸ハライド化合物の有機溶媒溶液を接触させた前記支持層を乾燥させることを含む複合中空糸膜の製造方法である。
【００８７】
このような構成によれば、半透膜層による分離を好適に行うことができ、さらに、耐久性に優れた複合中空糸膜を好適に製造することができる。
【００８８】
本発明は、かかる事情に鑑みてなされた発明であって、半透膜層による分離を好適に行うことができ、さらに、耐久性に優れた複合中空糸膜、及び前記複合中空糸膜の製造方法を提供することができる。
【００８９】
以下に、実施例により本発明を更に具体的に説明するが、本発明の範囲はこれらに限定されるものではない。
【実施例】
【００９０】
［実施例１］
（支持層の作製）
複合中空糸膜の支持層として、下記の方法により得られた中空糸膜を用いた。【００９１】
まず、中空糸膜（支持層）を構成する樹脂として、ポリフッ化ビニリデン（ＰＶＤＦ：アルケマ株式会社製のＫｙｎａｒ７４１）と、溶剤として、γブチロラクトン（ＧＢＬ：三菱ケミカル株式会社製のＧＢＬ）と、親水性樹脂として、ポリビニルピロリドン（ＰＶＰ：ＢＡＳＦジャパン株式会社製のＳｏｋａｌａｎ  Ｋ−９０Ｐ）と、添加剤として、ポリエチレングリコール（三洋化成工業株式会社製のＰＥＧ−６００）とを、質量比３０：５６：７：７になるように混合物を調製した。この混合物を９０℃の恒温下で溶解タンク内にて溶解させることによって、製膜原液が得られた。【００９２】
得られた９０℃の製膜原液を、中空状に押し出した。このとき、内部凝固液として、γブチロラクトン（ＧＢＬ：三菱ケミカル株式会社製のＧＢＬ）とグリセリン（花王株式会社製の精製グリセリン）とを６５℃の恒温下で質量比１５：８５になるように混合した混合物を、製膜原液と同時吐出した。【００９３】
この内部凝固液とともに押し出した製膜原液を、５ｃｍの空走距離を経て、外部凝固液として、８０℃の水の中に浸漬させた。そうすることによって、製膜原液が固化され、中空糸膜が得られた。【００９４】
次いで、得られた中空糸膜を水中で洗浄した。そうすることによって、溶剤と過剰の親水性樹脂とが、中空糸膜から抽出除去された。【００９５】
そして、この中空糸膜を、過酸化水素を３質量％含む水溶液に浸漬させた。そうすることによって、中空糸膜に含まれた親水性樹脂が架橋した。その後、この中空糸膜を水に浸漬させた。そうすることによって、架橋が不充分であった親水性樹脂を中空糸膜から除去した。このことから、中空糸膜に存在する親水性樹脂は、架橋によって不溶化された親水性樹脂であることがわかる。このようにして得られた中空糸膜を、上述したように、複合中空糸膜の支持層として用いた。【００９６】
（膜構造、反対側細孔径）
そして、この支持層は、外表面が緻密面であり、この緻密面から内表面にむかって漸次的に、内部の気孔が大きくなる傾斜構造を有していた。この傾斜構造を有していることは、走査型電子顕微鏡の観察からもわかった。【００９７】
具体的には、前記支持層の膜構造（断面、内表面、及び外表面）を、走査型電子顕微鏡（株式会社日立製作所製のＳ−３０００Ｎ）を用いて観察した。その結果を、図４〜６に示す。まず、図４は、実施例１に係る複合中空糸膜に備えられる支持層の断面の走査型電子顕微鏡写真である。また、図５は、実施例１に係る複合中空糸膜に備えられる支持層の外表面の走査型電子顕微鏡写真を示す図である。また、図６は、実施例１に係る複合中空糸膜に備えられる支持層の内表面の走査型電子顕微鏡写真を示す図である。これらの得られた画像から、前記支持層は、外表面に存在する孔が、内表面に存在する孔より小さくなる傾斜構造を有する中空糸膜であることがわかった。【００９８】
また、中空糸膜の内表面を走査型電子顕微鏡写真で観察して得られた写真から確認される全ての気孔の直径の平均値から、緻密面の反対側の面（実施例１においては内表面）に存在する気孔の径（反対側細孔径）が１０μｍであることがわかった。【００９９】
（分画粒子径）
次に、得られた中空糸膜（支持層）の分画粒子径を、以下の方法で測定した。【０１００】
異なる粒子径を有する少なくとも２種類の粒子（日揮触媒化成株式会社製の、カタロイドＳＩ−５５０、カタロイドＳＩ−４５Ｐ、カタロイドＳＩ−８０Ｐ、ダウケミカル株式会社製の、粒径０．１μｍ、０．２μｍ、０．５μｍのポリスチレンラテックス等）の阻止率を測定し、その測定値を元にして、下記の近似式において、Ｒが９０となるＳの値を求め、これを分画粒子径とした。【０１０１】
Ｒ＝１００／（１−ｍ×ｅｘｐ（−ａ×ｌｏｇ（Ｓ）））
上記式中のaおよびｍは、中空糸膜によって定まる定数であって、２種類以上の阻止率の測定値をもとに算出される。【０１０２】
また、分画粒子径が０．０１μｍ未満である場合には、上記測定方法の代わりに、以下測定方法により測定された、中空糸膜による阻止率が９０％となる被ろ過物の分子量（分画分子量）に基づくストークス径を分画粒子径とした。【０１０３】
その測定方法は、異なる粒子径を有する少なくとも２種類の粒子の代わりに、異なる分子量を有する少なくとも２種類のデキストラン（例えば、東京化成工業株式会社製の、デキストラン−４０及びデキストラン−７０等）を用いて、同様の方法で、Ｒが９０となるＳを求め、これを分画分子量とした。求めた分画分子量から下記ストークス式を用いて、ストークス径を算出し、このストークス径を、分画粒子径とした。【０１０４】
なお、ストークス式は、下記式である。【０１０５】
Ｒｓ＝２ＫＴ／（６πηＤ）
上記式中、Ｒｓは、ストークス径を示す。Ｋは、ボルツマン係数を示し、１．３８１×１０−２３である。また、Ｋは、絶対温度である２９８℃であり、ηは、溶媒の粘度を示し、０．０００８９Ｐａ・ｓである。そして、ここで、Ｄは、鎖状高分子の分子量と拡散係数との相関式として提案されている８．７６×１０−９×Ｓ−０．４８である。すなわち、Ｄ＝８．７６×１０−９×Ｓ−０．４８である。【０１０６】
上記測定方法により得られた分画粒子径は、０．０２μｍであった。【０１０７】
（水の接触角）
緻密面に対する水の接触角は、以下のようにして測定した。【０１０８】
まず、支持層の緻密面を露出させた。なお、実施例１で用いる支持層は、外表面が緻密面であるので、そのままでも露出している。ここで、内表面が緻密面の場合には、支持層を長手方向に沿って切断して内表面を露出させる。【０１０９】
次に、支持層の緻密面に水滴を滴下し、その瞬間の画像を撮影した。そして、水滴表面が緻密面に接する場所における、水滴表面と緻密面とのなす角を測定した。この角が、水の接触角である。測定装置としては、協和界面科学株式会社製のＤｒｏｐ  Ｍａｓｔｅｒ  ７００を用いた。【０１１０】
上記測定方法により得られた、緻密面に対する水の接触角は、４５°であった。【０１１１】
（耐圧強度）
耐圧強度は、以下のようにして測定した。【０１１２】
まず、支持層である中空糸膜の一端を封止し、もう一端を開放したままの中空糸膜を用いた中空糸膜モジュールを作製した。この中空糸膜モジュールに対して、支持層の外側にかかる圧力を徐々に高めるように加圧し、支持層が潰れたときの圧力を測定した。また、この中空糸膜モジュールに対して、支持層の内側にかかる圧力を徐々に高めるように加圧し、支持層が破裂したときの圧力を測定した。この測定した２つの圧力のうち、低い方の圧力を、耐圧強度とした。【０１１３】
上記測定方法により得られた耐圧強度は、０．５ＭＰａであった。【０１１４】
（親水化処理）
支持層である中空糸膜の全体が親水化されているか否かは、親水性から判断した。【０１１５】
測定対象物である支持層（中空糸膜）の、乾燥状態での膜間差圧９８ｋＰａ及び２５℃における純水の透過速度を測定した。具体的には、まず、測定対象物である支持層（中空糸膜）を、６０℃の送風定温乾燥器で、２４時間以上乾燥させた。この乾燥させた支持層の一端を封止し、有効長２０ｃｍの１本の中空糸膜モジュールを用い、原水として純水を利用し、ろ過圧力が９８ｋＰａ、温度２５℃の条件で外圧ろ過して、１分の透水量を測定した。この測定した透水量から、単位膜面積、単位時間、及び単位圧力当たりの透水量に換算して、純水の透過速度（Ｌ／ｍ２／時：ＬＭＨ）を得た。この透過速度を、乾燥状態での膜間差圧９８ｋＰａ及び２５℃における純水の透過速度とした。【０１１６】
上記乾燥状態での透過速度とは別に、測定対象物である支持層（中空糸膜）の、湿潤状態での膜間差圧９８ｋＰａ及び２５℃における純水の透過速度を測定した。具体的には、まず、測定対象物である支持層（中空糸膜）を、エタノール５０質量％水溶液に２０分間浸漬させ、その後、２０分間純水で洗浄することによって、湿潤処理を施した。この湿潤状態にした中空糸膜を、乾燥状態の中空糸膜の代わりに用いること以外、上記乾燥状態の透過速度の測定方法と同様の方法により、膜間差圧９８ｋＰａ及び２５℃における純水の透過速度（Ｌ／ｍ２／時：ＬＭＨ）を得た。この透過速度を、湿潤状態での膜間差圧９８ｋＰａ及び２５℃における純水の透過速度とした。【０１１７】
そして、乾燥状態での膜間差圧９８ｋＰａ及び２５℃における純水の透過速度に対する、湿潤状態での膜間差圧９８ｋＰａ及び２５℃における純水の透過速度の比を算出した。【０１１８】
この比が、１．０倍であった。このことから、乾燥状態での透過速度と湿潤状態での透過速度がほぼ同等であることがわかった。このことから、支持層全体が親水化されていることが確認された。【０１１９】
また、支持層の、内表面、外表面、及び前記支持層を切り出した内部の面のそれぞれに対して、ＩＲ分析を行った。この分析により、前記支持層の内表面、外表面、及び内部の全てに、親水性樹脂が存在することを確認した。よって、このことからも、支持層全体が親水化されていることが確認された。【０１２０】
（半透膜層の作製）
前記支持層の緻密面（実施例１では、外表面）側に、半透膜層を形成した。【０１２１】
具体的には、まず、前記支持層を、エタノール５０質量％水溶液に２０分間浸漬させ、その後、２０分間純水で洗浄することによって、湿潤処理を施した。この湿潤処理を施した湿潤状態の支持層を、他の支持層と接触しないように、枠に固定した。そして、この支持層を、芳香族多官能アミン化合物であるｍ−フェニレンジアミンの２質量％水溶液が支持層の緻密面側に接触するように、ｍ−フェニレンジアミンの２質量％水溶液に２分間浸漬させた。そうすることによって、支持層の緻密面側から、ｍ−フェニレンジアミンの２質量％水溶液をしみ込ませた。その後、支持層にしみ込まなかった余分なｍ−フェニレンジアミンの２質量％水溶液を除去した。【０１２２】
そして、この支持層を、芳香族酸ハライド化合物であるトリメシン酸トリクロライドの０．２質量％ヘキサン溶液が支持層の緻密面側に接触するように、トリメシン酸トリクロライドの０．２質量％ヘキサン溶液に１分間浸漬させた。そうすることによって、前記支持層の緻密面側にしみ込まれたｍ−フェニレンジアミン水溶液と、トリメシン酸トリクロライドのヘキサン溶液との界面が形成される。そして、この界面において、ｍ−フェニレンジアミンとトリメシン酸トリクロライドとの界面重合が進行し、架橋ポリアミド重合体が形成される。【０１２３】
その後、架橋ポリアミド重合体が形成させた支持層を、９０℃の乾燥機にて乾燥させた。そうすることによって、前記支持層の緻密面側に、前記緻密面に接触するように半透膜層が形成された。この半透膜層が形成されていることは、走査型電子顕微鏡の観察からもわかった。具体的には、前記支持層に半透膜層が形成された複合中空糸膜の外表面を、走査型電子顕微鏡（株式会社日立製作所製のＳ−３０００Ｎ）を用いて観察した。その結果を、図７に示す。なお、図７は、実施例１に係る複合中空糸膜の外表面の走査型電子顕微鏡写真を示す図である。この得られた画像から、前記複合中空糸膜の外表面側に、半透膜層が好適に形成されていることがわかった。なお、形成された半透膜層は、厚みが２００ｎｍであった。また、支持層の厚みが０．２ｍｍであった。【０１２４】
（複合中空糸膜）
上記の製造方法により、支持層と半透膜層とを備えた複合中空糸膜が得られた。この複合中空糸膜は、外径が１．０ｍｍであり、内径が０．６ｍｍであり、膜厚が０．２ｍｍであった。なお、複合中空糸膜の膜厚と支持層の膜厚とは、ほぼ同じである。これは、半透膜層が、支持層と比較して非常に薄いため、その厚みは誤差範囲内になることによる。【０１２５】
［評価］
上記のように得られた複合中空糸膜を、以下に示す方法により、評価を行った。【０１２６】
（逆浸透ＲＯモードでの性能評価）
得られた複合中空糸膜を、逆浸透（ＲＯ）法に用い、透水性及び脱塩率を測定した。【０１２７】
具体的には、得られた複合中空糸膜に、模擬海水としての５００ｍｇ／ＬのＮａＣｌ水溶液を、０．３ＭＰａの圧力をかけ、ろ過を行った。そのときの透水量と、得られた水のＮａＣｌ含有量とを測定した。この測定した透水量から、単位膜面積、単位時間、及び単位圧力当たりの透水量に換算して、純水の透過速度（Ｌ／ｍ２／時：ＬＭＨ）を得た。この透過速度を、透水性として評価した。また、得られた水のＮａＣｌ含有量から、脱塩率（％）を算出した。【０１２８】
（正浸透ＦＯモードでの性能評価）
得られた複合中空糸膜を、正浸透（ＦＯ）法に用い、透水性及び塩逆流速度を測定した。【０１２９】
具体的には、得られた複合中空糸膜を介して、模擬駆動溶液（模擬ＤＳ）としての０．５ＭのＮａＣｌ水溶液と、模擬供給溶液（模擬ＦＳ）としてのイオン交換水とを配置して、ろ過を行った。そのとき、複合中空糸膜の半透膜層側に模擬ＦＳを、複合中空糸膜の支持層側に模擬ＤＳを流した。模擬ＦＳから模擬ＤＳへの水の透水量は、模擬ＦＳと模擬ＤＳとのそれぞれの重量変化から算出した。そして、この算出した透水量から、単位膜面積、単位時間、及び単位圧力当たりの透水量に換算して、純水の透過速度（Ｌ／ｍ２／時：ＬＭＨ）を得た。この透過速度を、透水性として評価した。また、模擬ＦＳの塩濃度の変化を測定した。この塩濃度の変化から、塩逆流速度（ｇ／ｍ２／時：ｇＭＨ）を得た。【０１３０】
（耐久性：１０回屈曲後のＲＯモード）
得られた複合中空糸膜を１０回屈曲させた後に、上記逆浸透ＲＯモードでの性能評価と同様の方法により、脱塩率を求めた。この脱塩率の、上記逆浸透ＲＯモードでの脱塩率に対する低下の度合いから、複合中空糸膜の耐久性がわかる。【０１３１】
また、上記評価とは別に、以下の評価を行った。まず、得られた複合中空糸膜に、４週間、イオン交換水を透過させた。このイオン交換水を透過させた複合中空糸膜を１０回屈曲させた後、上記逆浸透ＲＯモードでの性能評価と同様の方法により、脱塩率を求めた。この脱塩率の、上記逆浸透ＲＯモードでの脱塩率に対する低下の度合いから、複合中空糸膜からの親水性樹脂の溶出度合いがわかる。【０１３２】
これらの評価結果は、複合中空糸膜の製造条件等とともに、表１に示す。【０１３３】
［実施例２］
内部凝固液と外部凝固液とを入れ替えたこと以外、実施例１と同様に、複合中空糸膜を製造した。具体的には、内部凝固液として、水を用い、外部凝固液として、γブチロラクトン（ＧＢＬ：三菱ケミカル株式会社製のＧＢＬ）とグリセリン（花王株式会社製の精製グリセリン）との混合液を用いたこと以外、実施例１と同様に、複合中空糸膜を製造した。この複合中空糸膜は、内部凝固液と外部凝固液とを入れ替えたことにより、支持層の内表面が、緻密面となり、内表面上に半透膜層を形成させた複合中空糸膜である。その他の支持層の性状、及び複合中空糸膜の評価結果等は、表１に示す。【０１３４】
［実施例３］
中空糸状に押し出す際の製膜溶液の温度を９０℃から１２０℃に変更し、外部凝固液の温度を８０℃から９０℃に変更した以外、実施例１と同様に、複合中空糸膜を製造した。その他の支持層の性状、及び複合中空糸膜の評価結果等は、表１に示す。【０１３５】
［実施例４］
親水性樹脂として、ポリビニルピロリドン（ＰＶＰ）の代わりに、ポリビニルアルコール（ＰＶＡ：株式会社クラレ製のＰＶＡ−５０５）を用い、その架橋として、過酸化水素水溶液の代わりに、ホルムアルデヒドを１質量％含み、硫酸を３質量％含む水溶液を用いて架橋させたこと以外、実施例１と同様に、複合中空糸膜を製造した。その他の支持層の性状、及び複合中空糸膜の評価結果等は、表１に示す。【０１３６】
［実施例５］
支持層として、下記支持層を用いたこと以外、実施例１と同様に、複合中空糸膜を製造した。その他の支持層の性状、及び複合中空糸膜の評価結果等は、表１に示す。【０１３７】
（支持層の作製）
複合中空糸膜の支持層として、下記の方法により得られた中空糸膜を用いた。【０１３８】
まず、中空糸膜（支持層）を構成する樹脂として、ポリサルホン（ＰＳＦ：ＢＡＳＦジャパン株式会社製のＵｌｔｒａｓｏｎ  Ｓ３０１０）と、溶剤として、ジメチルホルムアミド（ＤＭＦ：三菱ガス化学株式会社製のＤＭＦ）と、添加剤として、ポリエチレングリコール（三洋化成工業株式会社製のＰＥＧ−６００）と、親水性樹脂として、ポリビニルピロリドン（ＰＶＰ：ＢＡＳＦジャパン株式会社製のＳｏｋａｌａｎ  Ｋ−９０Ｐ）と、を、質量比２０：４８：３０：２になるように混合物を調製した。この混合物を２５℃の恒温下で溶解タンク内にて溶解させることによって、製膜原液が得られた。【０１３９】
得られた２５℃の製膜原液を、中空状に押し出した。このとき、内部凝固液として、２５℃の水を、製膜原液と同時吐出した。【０１４０】
この内部凝固液とともに押し出した製膜原液を、５ｃｍの空走距離を経て、外部凝固液として、６０℃の水の中に浸漬させた。そうすることによって、製膜原液が固化され、中空糸膜が得られた。【０１４１】
そして、この中空糸膜を、過酸化水素を３質量％含む水溶液に浸漬させた。そうすることによって、中空糸膜に含まれた親水性樹脂が架橋した。その後、この中空糸膜を水に浸漬させた。そうすることによって、架橋が不充分であった親水性樹脂を中空糸膜から除去した。このことから、中空糸膜に存在する親水性樹脂は、架橋によって不溶化された親水性樹脂であることがわかった。【０１４２】
そして、この支持層は、内表面が緻密面であり、この緻密面から外表面にむかって漸次的に、内部の気孔が大きくなる傾斜構造を有していた。この傾斜構造を有していることは、走査型電子顕微鏡の観察からもわかった。【０１４３】
具体的には、前記支持層の膜構造（断面、内表面、及び外表面）を、走査型電子顕微鏡（株式会社日立製作所製のＳ−３０００Ｎ）を用いて観察した。得られた画像から、前記支持層は、内表面に存在する孔が、外表面に存在する孔より小さくなる傾斜構造を有する中空糸膜であることがわかった。【０１４４】
［比較例１］
親水性樹脂を架橋させる架橋処理を行わないこと以外、実施例１と同様に、複合中空糸膜を製造した。その他の支持層の性状、及び複合中空糸膜の評価結果等は、表１に示す。【０１４５】
［比較例２］
支持層として、中空糸膜（株式会社クラレ製のＬＰ膜）を用いたこと以外、実施例１と同様に、複合中空糸膜を製造した。このＬＰ膜は、外表面が緻密面である傾斜構造を有し、分画粒子径が２．０μｍであり、反対側細孔径が１０μｍである。そして、このＬＰ膜は、ポリビニルアルコール（ＰＶＡ：株式会社クラレ製のＰＶＡ−５０５）の架橋体が含まれている。その他の支持層の性状、及び複合中空糸膜の評価結果等は、表１に示す。【０１４６】
［比較例３］
親水性樹脂を架橋させる架橋処理を行わずに得られた支持層から親水性樹脂が溶出してこなくなるまで、支持層を水に浸漬させること以外、実施例１と同様に、複合中空糸膜を製造した。その他の支持層の性状、及び複合中空糸膜の評価結果等は、表１に示す。【０１４７】
［比較例４］
半透膜層を形成させる面を、支持層の外表面（緻密面）から支持層の内表面（緻密面とは反対側の面）に変更した以外、実施例１と同様に、複合中空糸膜を製造した。すなわち、前記支持層の内表面で界面重合をさせたこと以外は、実施例１と同様に複合中空糸膜を製造した。【０１４８】
得られた複合中空糸膜は、半透膜層が好適に形成されなかった。また、得られた複合中空糸膜を、正浸透（ＦＯ）法に用いて、上記のように、透水性及び塩逆流速度を測定した。その結果、純水の透過速度（透水性）が１００Ｌ／ｍ２／時（ＬＭＨ）を超え、脱塩率も０％であった。このことから、緻密面とは反対側の面（支持層の内表面）では、細孔が大きすぎるため、半透膜層が好適に形成されなかったと考えられる。すなわち、緻密面ではなく、緻密面とは反対側の面では、半透膜層が好適に形成できないことが確認できた。【０１４９】
【表１】
2019131304.tif 000003
【０１５０】
なお、表１における評価が「−」と示されている箇所は、複合中空糸膜が、正浸透膜又は逆浸透膜として機能できなかったことを示す。また、表１において、「＞１００」は、１００より大きいことを示す。【０１５１】
表１からわかるように、多官能アミン化合物と多官能酸ハライド化合物とを重合させてなる架橋ポリアミド重合体を含む半透膜層と、中空糸状の多孔質な支持層とを備え、前記支持層は、分画粒子径が０．００１〜０．３μｍとなる傾斜構造を有し、架橋された親水性樹脂が含まれており、前記緻密面に前記半透膜層が接触している複合中空糸膜である場合（実施例１〜５）は、逆浸透膜として用いたときに、透水性に優れ、脱塩性能にも優れていた。また、実施例１〜５に係る複合中空糸膜は、正浸透膜として用いたときでも、透水性に優れ、塩逆流速度が低かった。これらのことから、実施例１〜５に係る複合中空糸膜は、半透膜層による分離を好適に行うことができることがわかる。このことは、支持層が、その上に半透膜層を好適に形成させることができ、さらに、この形成された半透膜層による分離を阻害しにくいことによると考えられる。【０１５２】
さらに、実施例１〜５に係る複合中空糸膜は、１０回屈曲させた後であっても、長期間にわたって通水させて、１０回屈曲させた後であっても、脱塩率の低下が抑制されており、耐久性にも優れていることがわかった。このことは、好適に形成された半透膜層が、屈曲等によって、支持層から剥離する等の損傷を起こしにくいことによると考えられる。【０１５３】
これに対して、架橋処理を行わなかった比較例１に係る複合中空糸膜は、支持層に親水性樹脂が含まれることから、その支持層の上に半透膜層を好適に形成させることができると考えられ、１０回屈曲させた後であっても、脱塩率の低下を抑制することができる。しかしながら、長期間にわたって通水させて、１０回屈曲させた後では、脱塩率の低下を充分に抑制できなかった。これは、親水性樹脂を架橋処理していないので、通水によって、親水性樹脂が支持層から溶出してしまったことにより、形成された半透膜層が、屈曲等によって、支持層から剥離する等の損傷を起こしたことによると考えられる。【０１５４】
また、支持層の分画粒子径が０．３μｍを超える場合（比較例２）は、緻密面にある気孔の径が大きすぎて、半透膜層を好適に形成できなかったと思われ、半透膜層による分離を好適に行えなかった。なお、表１における比較例２の評価を「−」と示しているのは、複合中空糸膜が、正浸透膜又は逆浸透膜として機能できなかったことを示す。【０１５５】
また、架橋処理を行わず、さらに、親水性樹脂を溶出させた比較例３に係る複合中空糸膜は、支持層が疎水性のため、半透膜層が、支持層から剥離する等の損傷を起こしたと考えられ、１０回屈曲させた後では、脱塩率の低下を充分に抑制できなかった。なお、長期間にわたって通水させて、１０回屈曲させた後は、脱塩率が当然に良くない結果になるので、測定しなかったので、その評価には、「−」と示す。【０１５６】
また、支持層の緻密層とは反対側の面に、半透膜層を形成させた場合（比較例４）は、上述したように、半透膜層を形成させた面にある気孔の径が大きすぎて、半透膜層を好適に形成できなかったと思われ、半透膜層による分離を好適に行えなかった。なお、表１における比較例４の評価を「−」と示しているのは、複合中空糸膜が、逆浸透膜として機能できなかったことを示す。【０１５７】
この出願は、２０１７年１２月２７日に出願された日本国特許出願特願２０１７−２５１９３８を基礎とするものであり、その内容は、本願に含まれるものである。【０１５８】
本発明を表現するために、上述において実施形態を通して本発明を適切且つ十分に説明したが、当業者であれば上述の実施形態を変更及び／又は改良することは容易に為し得ることであると認識すべきである。したがって、当業者が実施する変更形態又は改良形態が、請求の範囲に記載された請求項の権利範囲を離脱するレベルのものでない限り、当該変更形態又は当該改良形態は、当該請求項の権利範囲に包括されると解釈される。
【産業上の利用可能性】
【０１５９】
本発明によれば、半透膜層による分離を好適に行うことができ、さらに、耐久性に優れた複合中空糸膜、及び前記複合中空糸膜の製造方法が提供される。
【図１】
2019131304.tif 000004
【図２】
2019131304.tif 000005
【図３】
2019131304.tif 000006
【図４】
2019131304.tif 000007
【図５】
2019131304.tif 000008
【図６】
2019131304.tif 000009
【図７】
2019131304.tif 000010
【国際調査報告】
2019131304.tif 000011
2019131304.tif 000012
2019131304.tif 000013
2019131304.tif 000014